(57)【要約】【課題】  位置調整が容易で、且つ、据付作業性の優れたエレベータの揚重梁固定装置を得る。【解決手段】  エレベータの昇降路頂部の互いに対向する昇降路壁にそれぞれ設けられた支持ブラケットと、この支持ブラケットに跨って載置された揚重梁と、この揚重梁両端部の上面にそれぞれ載置され、揚重梁の短手方向両側からそれぞれ突出する保持部材と、揚重梁両端部の短手方向両側にそれぞれ配置され、揚重梁のそれぞれの端部が支持ブラケット及び保持部材によって挟持されるように、支持ブラケット及び保持部材を固定する固定部材とを備える。【選択図】      図１
2005324871.tif 000002
【特許請求の範囲】
【請求項１】
エレベータの昇降路頂部の互いに対向する昇降路壁にそれぞれ設けられた支持ブラケットと、この支持ブラケットに跨って載置された揚重梁と、この揚重梁両端部の上面にそれぞれ載置され、前記揚重梁の短手方向両側からそれぞれ突出する保持部材と、前記揚重梁両端部の短手方向両側にそれぞれ配置され、前記揚重梁のそれぞれの端部が前記支持ブラケット及び前記保持部材によって挟持されるように、前記支持ブラケット及び前記保持部材を固定する固定部材とを備えたことを特徴とするエレベータの揚重梁固定装置。
【請求項２】
保持部材は、揚重梁の端面と所定の間隙を有して対向し、揚重梁の長手方向の移動を制限する移動制限部を備えたことを特徴とする請求項１に記載のエレベータの揚重梁固定装置。
【請求項３】
支持ブラケットは、昇降路壁に対向する面に設けられた水平方向に長い第１の取付用長孔と、この第１の取付用長孔に対して所定の角度を有する第２の取付用長孔とを備え、前記第１及び第２の取付用長孔を介して、前記昇降路壁に設けられたアンカーボルトに固定されることを特徴とする請求項１又は請求項２に記載のエレベータの揚重梁固定装置。
【請求項４】
支持ブラケットは、揚重梁が載置される面に設けられ、固定部材が遊貫する長孔状を呈する少なくとも２つの貫通孔を備え、前記２つの貫通孔は、前記揚重梁が載置された際に、それぞれの一端部が前記揚重梁によって塞がれるとともに、それぞれの他端部が前記揚重梁の短手方向両側に配置されることを特徴とした請求項１から請求項３の何れかに記載のエレベータの揚重梁固定装置。
【請求項５】
保持部材は、複数の揚重梁の幅に対応するように、それぞれ間隔の異なる複数組の貫通孔が設けられたことを特徴とする請求項４に記載のエレベータの揚重梁固定装置。
【請求項６】
支持ブラケットは、揚重梁が載置される上部と、この上部に直交し、昇降路壁に対向する下部とからなる略Ｌ字状を呈し、前記上部及び下部のそれぞれに直交する補強リブに掛止孔を備えたことを特徴とする請求項１から請求項５の何れかに記載のエレベータの揚重量固定装置。
【発明の詳細な説明】
【技術分野】
【０００１】
この発明は、エレベータの昇降路内を通じて機器類を揚重する際に使用される揚重梁の固定装置に関するものである。
【背景技術】
【０００２】
エレベータ装置の据付時等にエレベータの昇降路内を通じて機器類を揚重する場合、昇降路の頂部に設けられた揚重梁に揚重装置を取り付けることによって、揚重される機器類の重量を昇降路壁等に作用させている。このような揚重梁を昇降路頂部に設置するために使用される従来のエレベータの揚重梁固定装置には、エレベータ昇降路頂部の互いに対向する昇降路壁にアンカーボルトによってそれぞれ固定された一対の受け材と、それぞれの一端がこの受け材に支持されるとともにそれぞれの他端が下部連結材及び上部連結材によって連結される２組の固定材からなる支持体とを備え、これらの連結材が、固定材の他端側の複数箇所に選択的に取付可能であり、この取付位置を調整することによってその支持体が長手方向に伸縮自在となるものがある（例えば、特許文献１参照）。
【０００３】
【特許文献１】特開２０００−３３５８４７号公報
【発明の開示】
【発明が解決しようとする課題】
【０００４】
特許文献１記載のエレベータの揚重梁固定装置は、２つの固定材の他端部同士を連結する下部連結材及び上部連結材が固定材の複数箇所に選択的に取付可能なため、対向する昇降路壁の距離が多少異なる場合でも、その昇降路壁間の距離に合わせて支持体の長手方向の長さを調整することが可能となる。しかし、支持体の長手方向の長さは、固定材に設けられた取付孔の間隔や位置に基づいて段階的に調整されるためにその調整には制限があるとともに、調整を行うには多数のボルトの締結作業が必要となるため、特に昇降路頂部の狭い空間で作業を行う場合には作業効率が悪いという問題があった。
【０００５】
また、対向する昇降路壁に設けられた支持ブラケット（受け材）と、この支持ブラケットに跨って設けられた揚重梁とを溶接固定するものも従来から考えられているが、溶接作業のためには溶接機や溶接ケーブル等の機器類を昇降路頂部に運び込む必要があり、固定作業の準備に手間と時間とを要することとなっていた。また、支持ブラケットと揚重梁とを溶接固定した場合には、揚重作業終了後に、昇降路壁から取り外した揚重梁を再利用することができないという問題も生じていた。
【０００６】
この発明は、上述のような課題を解決するためになされたもので、その目的は、位置調整が容易で、且つ、据付作業性の優れたエレベータの揚重梁固定装置を提供することである。
【課題を解決するための手段】
【０００７】
この発明に係るエレベータの揚重梁固定装置は、エレベータの昇降路頂部の互いに対向する昇降路壁にそれぞれ設けられた支持ブラケットと、この支持ブラケットに跨って載置された揚重梁と、この揚重梁両端部の上面にそれぞれ載置され、揚重梁の短手方向両側からそれぞれ突出する保持部材と、揚重梁両端部の短手方向両側にそれぞれ配置され、揚重梁のそれぞれの端部が支持ブラケット及び保持部材によって挟持されるように、支持ブラケット及び保持部材を固定する固定部材とを備えたものである。
【発明の効果】
【０００８】
この発明は、エレベータの昇降路頂部の互いに対向する昇降路壁にそれぞれ設けられた支持ブラケットと、この支持ブラケットに跨って載置された揚重梁と、この揚重梁両端部の上面にそれぞれ載置され、揚重梁の短手方向両側からそれぞれ突出する保持部材と、揚重梁両端部の短手方向両側にそれぞれ配置され、揚重梁のそれぞれの端部が支持ブラケット及び保持部材によって挟持されるように、支持ブラケット及び保持部材を固定する固定部材とを備える構成としたことで、位置調整が容易となり、且つ、据付作業性に優れる。
【発明を実施するための最良の形態】
【０００９】
実施の形態１．
図１はこの発明の実施の形態１におけるエレベータの揚重梁固定装置の正面図、図２はその平面図、図３はその側面図である。図において、エレベータ昇降路１の頂部には、互いに対向する昇降路壁１ａ及び１ｂに、断面が略Ｌ字状を呈する支持ブラケット２がそれぞれ設けられている。この支持ブラケット２は、水平な上面が略同高さとなるようにそれぞれ配置されており、この上面を有する上部と、この上部に直交し、昇降路壁１ａ又は１ｂに対向する下部とには、この上部及び下部のそれぞれに直交する補強リブ２ａが設けられている。また、この支持ブラケット２の上部には所定の間隔を有する貫通孔（図示せず）が、また、下部の両側には円形状を呈する取付孔２ｂがそれぞれ設けられており、支持ブラケット２は、下部の取付孔２ｂを介して昇降路壁１ａ及び１ｂのそれぞれに設けられたアンカーボルト３に固定されている。
【００１０】
断面が略Ｉ字状を呈し、エレベータ装置の据付の際に揚重装置（図示せず）を支持する揚重梁４は、互いに対向する昇降路壁１ａ及び１ｂに固定された支持ブラケット２上面に跨って載置されている。なお、支持ブラケット２の昇降路壁１ａ及び１ｂからの突出量と揚重梁４の長さとは、支持ブラケット２の上面と揚重梁４の端部下面とが接触する揚重梁４長手方向の距離Ｌ１が、揚重梁４に作用する荷重等に基づいて定められた所定値以上となるように設定されている。また、略長方形状を呈する保持部材５は、その両端部が揚重梁４の短手方向両側からそれぞれ突出するように揚重梁４のそれぞれの端部上面に載置されており、この保持部材５には、支持ブラケット２上部の貫通孔と略同程度の間隔を有する貫通孔（図示せず）が設けられている。なお、支持ブラケット２上部と保持部材５とに設けられたそれぞれの貫通孔は、近接する端部が揚重梁４の短手方向の幅と略同程度となるようにその間隔が設定されている。揚重梁４は、支持ブラケット２上部に設けられた貫通孔がその短手方向両側にそれぞれ配置されるように支持ブラケット２上面に載置されており、保持部材５は、保持部材５に設けられた貫通孔が支持ブラケット２の貫通孔の上方に位置するように配置されている。支持ブラケット２及び保持部材５にそれぞれ設けられた貫通孔を、支持ブラケット２上部の下方から遊貫する固定部材からなる固定ボルト６は、保持部材５の上面側でナット７に締め付けられることによって、支持ブラケット２と保持部材５とを固定している。したがって、揚重梁４は、その両端部が支持ブラケット２及び保持部材５によってそれぞれ挟持されている。なお、この固定ボルト６は、その側面が揚重梁４の側面にそれぞれ接触するように、揚重梁４両端部の短手方向両側にそれぞれ配置されるとともに、異なる高さを有する揚重梁４にも対応することができるような所定の長さを有している。
【００１１】
この発明の実施の形態１によれば、対向する昇降路壁１ａ及び１ｂの支持ブラケット２に跨って設けられた揚重梁４は、その両端部が支持ブラケット２と保持部材５とに挟持されることによって昇降路１頂部に固定されているため、対向する昇降路壁１ａ及び１ｂ間の距離が多少異なる場合でも、ボルトの締結作業による揚重梁４の長さ調整等を必要としない。また、揚重梁４に取付用の固定孔等が設けられていないため揚重梁４の位置調整が容易であるとともに、揚重梁４の上面で常に固定ボルト６の締結作業を行うことができるため、作業性が良く、揚重梁４の据付作業を短時間で行うことが可能である。また、溶接固定等のように支持ブラケット２と揚重梁４とが一体化されることもないため、他のエレベータ装置の据付時に再利用することができ、運用コストを安価にすることが可能である。
【００１２】
実施の形態２．
図４は、この発明の実施の形態２におけるエレベータの揚重梁固定装置の正面図である。図において、揚重梁４の上面に載置され、支持ブラケット２とともに揚重梁４の端部を挟持する保持部材５ａは、断面が略Ｌ字状を呈しており、その一面が揚重梁４の上面と接触し、この一面と直交する移動制限部からなる他面が、揚重梁４の端面と所定の距離Ｌ２を有して対向するように配置されている。この保持部材５ａの他面と揚重梁４の一端面との距離Ｌ２は、揚重梁４の他端部下面と支持ブラケット２上面とが接触する揚重梁４長手方向の距離Ｌ１よりも小さくなるように設定されており、保持部材５ａの他面によって揚重梁４の長手方向の移動が制限されている。
【００１３】
この発明の実施の形態２によれば、保持部材５ａの他面と揚重梁４の一端面との距離Ｌ２が、揚重梁４の他端部下面と支持ブラケット２上面とが接触する揚重梁４長手方向の距離Ｌ１よりも小さくなるように設定されているため、揚重梁４が長手方向に移動しても、揚重梁４は支持ブラケット２の上面から落下する恐れがない。即ち、揚重梁４がその長手方向に移動した場合でも、揚重梁４の他端部が支持ブラケット２上面から外れる前に、揚重梁４の一端面が保持部材５ａの他面に接触するため、例えば、互いに対向する昇降路壁１ａ及び１ｂ間の距離が計画寸法よりも大きくなった際にも揚重梁４の落下事故を防止することが可能となる。なお、その他は実施の形態１と同様の構成及び効果を有している。
【００１４】
実施の形態３．
図５は、この発明の実施の形態３におけるエレベータの揚重梁固定装置の側面図である。図において、昇降路壁１ａ及び１ｂに設けられた支持ブラケット２の下部には、その一側に水平方向に長い第１の取付用長孔２ｃが、また、他側に所定の角度を有する第２の取付用長孔２ｄが設けられており、支持ブラケット２は、この取付用長孔２ｃ及び２ｄを介して、昇降路壁１ａ及び１ｂにそれぞれ設けられたアンカーボルト３に固定されている。
【００１５】
この発明の実施の形態３によれば、揚重梁４の端部を支持する支持ブラケット２は、その下部一側に設けられた水平方向に長い取付用長孔２ｃと、下部他側に設けられた斜めに配置された取付用長孔２ｄとを介して昇降路壁１ａ及び１ｂのアンカーボルト３に設けられているため、アンカーボルト３の設置位置が多少ずれているような場合でも、アンカーボルト３の上部３ａと取付用長孔２ｃ及び２ｄの上部とを接触させた状態で、支持ブラケット２の上面を水平に設置することが可能である。このため、揚重梁４に作用する荷重をアンカーボルト３に確実に伝達することができる。なお、その他は実施の形態１又は２と同様の構成及び効果を有している。
【００１６】
実施の形態４．
図６は、この発明の実施の形態４におけるエレベータの揚重梁固定装置の平面図である。図において、対向する昇降路壁１ａ及び１ｂにそれぞれ設けられた支持ブラケット２の上面には、揚重梁４の短手方向に長い長孔状を呈する２つの貫通穴２ｅが、所定の間隔を有して一直線状となるように設けられている。この貫通孔２ｅは、揚重梁４が支持ブラケット２の上面に載置された際に、近接するそれぞれの一端部側が揚重梁４によって塞がれるとともに、それぞれの他端部が揚重梁４の短手方向両側に配置されるように、即ち、貫通孔２ｅの近接する一端部間距離が揚重梁４の短手方向の幅よりも小さく、貫通孔２ｅ外側の他端部間距離が揚重梁４の短手方向の幅よりも大きくなるように設定されている。なお、図６は、固定ボルト６及びナット７を外した状態を示している。
【００１７】
この発明の実施の形態４によれば、支持ブラケット２の上部に設けられた長孔状を呈する貫通孔２ｅは、所定の間隔を有して一直線状となるように設けられるとともに、揚重梁４が支持ブラケット２の上面に載置された際に、近接する端部側が揚重梁４によって塞がれるように設けられているため、固定ボルト６の側面を揚重梁４の側面に確実に接触させることができる。したがって、揚重梁４の横移動を防止することができるとともに、支持ブラケット２の設置位置が揚重梁４の短手方向に多少ずれた場合でも、揚重梁４を所定の位置に固定することが可能となる。また、短手方向の幅が異なる揚重梁４にも対応することができる。なお、その他は実施の形態１から３の何れかと同様の構成及び効果を有している。
【００１８】
実施の形態５．
図７は、この発明の実施の形態５におけるエレベータの揚重梁固定装置の側面図である。図において、揚重梁４の上面に載置され、支持ブラケット２とともに揚重梁４の端部を挟持する保持部材５ｂは、断面が略Ｌ字状を呈しており、その一面が揚重梁４の上面と接触し、この一面と直交する他面が揚重梁４の上方に突出するように配置されている。この保持部材５ｂの他面には、揚重梁４上面に接触する一面に設けられ、固定ボルト６が挿通された２つの貫通孔（図示せず）の距離Ｌ３とは異なる距離Ｌ４を有する２つの貫通孔５ｃが設けられている。なお、図７においては、保持部材５ｂ一面に設けられた貫通孔間の距離Ｌ３よりも、他面に設けられた貫通孔５ｃ間の距離Ｌ４の方が大きい場合を示している。
【００１９】
この発明の実施の形態５によれば、略Ｌ字状を呈する保持部材５ｂの一面と他面とには、それぞれ距離の異なる２つの貫通孔が設けられているため、短手方向の幅が異なる２種類の揚重梁４に対応することが可能である。なお、この保持部材５ｂを実施の形態２における保持部材５ａにように配置して、揚重梁４の長手方向の移動を制限するようにしても良い。また、それぞれの間隔の異なる２組以上の貫通孔を保持部材５ａに設け、複数の揚重梁４の幅に対応するようにしても良い。その他は実施の形態１から４の何れかと同様の構成及び効果を有している。
【００２０】
実施の形態６．
図８は、この発明の実施の形態６におけるエレベータの揚重梁固定装置の正面図である。図において、昇降路１頂部の対向する昇降路壁１ａ及び１ｂにそれぞれ設けられた支持ブラケット２の補強リブ２ａには、略円形状の掛止孔２ｆが設けられている。
【００２１】
この発明の実施の形態６によれば、支持ブラケット２の補強リブ２ａに掛止孔２ｆが設けられているため、エレベータ装置の据付作業時に、この掛止孔２ｆを揚重装置の吊点として利用したり、昇降路１頂部で据付作業を行う作業者が落下防止用安全帯の掛け金を掛止したりするために利用することができる。なお、その他は実施の形態１から５の何れかと同様の構成及び効果を有している。
【図面の簡単な説明】
【００２２】
【図１】この発明の実施の形態１におけるエレベータの揚重梁固定装置の正面図である。
【図２】この発明の実施の形態１におけるエレベータの揚重梁固定装置の平面図である。
【図３】この発明の実施の形態１におけるエレベータの揚重梁固定装置の側面図である。
【図４】この発明の実施の形態２におけるエレベータの揚重梁固定装置の正面図である。
【図５】この発明の実施の形態３におけるエレベータの揚重梁固定装置の側面図である。
【図６】この発明の実施の形態４におけるエレベータの揚重梁固定装置の平面図である。
【図７】この発明の実施の形態５におけるエレベータの揚重梁固定装置の側面図である。
【図８】この発明の実施の形態６におけるエレベータの揚重梁固定装置の正面図である。
【符号の説明】
【００２３】
１  昇降路
１ａ、１ｂ  昇降路壁
２  支持ブラケット
２ａ  補強リブ
２ｂ、取付孔
２ｃ、２ｄ  取付用長孔
２ｅ  貫通孔
２ｆ  掛止孔
３  アンカーボルト
３ａ  上部
４  揚重梁
５、５ａ、５ｂ  保持部材
５ｃ  貫通孔
６  固定ボルト
７  ナット
【図１】
2005324871.tif 000003
【図２】
2005324871.tif 000004
【図３】
2005324871.tif 000005
【図４】
2005324871.tif 000006
【図５】
2005324871.tif 000007
【図６】
2005324871.tif 000008
【図７】
2005324871.tif 000009
【図８】
2005324871.tif 000010